(57)【要約】【課題】数種の部品の組み付けを容易にするとともに回転体の損傷を抑制する技術を提供する。【解決手段】図柄が付された回転体２２０と、回転体２２０に回転駆動力を与えるモータと、モータの回転駆動力を回転体２２０に伝達する伝達部材とを備え、回転体２２０を回転させて図柄を変動表示させる遊技機であって、回転体２２０は、図柄が付される円筒状の図柄貼付部２６０と、回転半径方向に放射状に延びる複数の羽根部２７１，２８１を有し、複数の羽根部２７１，２８１にて図柄貼付部２６０を支持する２つの支持部材２７０，２８０とを備える。【選択図】図５
2010115426.tif 000002
【特許請求の範囲】
【請求項１】
図柄が付された回転体と、当該回転体に回転駆動力を与えるモータと、当該モータの回転駆動力を当該回転体に伝達する伝達部材とを備え、当該回転体を回転させて当該図柄を変動表示させる遊技機であって、
前記回転体は、
前記図柄が付される円筒状の図柄貼付部と、
回転半径方向に放射状に延びる複数の羽根部を有し、当該複数の羽根部にて前記図柄貼付部を支持する２つの支持部材と
を備えることを特徴とする遊技機。
【請求項２】
前記モータの回転駆動力が前記伝達部材を介して前記２つの支持部材の少なくともいずれかに伝達し、当該回転駆動力が伝達された支持部材が当該回転駆動力を前記図柄貼付部に伝達することにより当該図柄貼付部が回転する
ことを特徴とする請求項１記載の遊技機。
【請求項３】
前記２つの支持部材は、前記図柄貼付部の回転軸方向の両側の端部を前記複数の羽根部で挟み込むことにより、当該図柄貼付部を支持する
ことを特徴とする請求項１または２に記載の遊技機。
【請求項４】
前記２つの支持部材は、それぞれ、
前記伝達部材に締結される締結部と、
前記締結部の回転半径方向端部から回転軸方向に延び、前記締結部と前記複数の羽根部とを連結する連結部と、
を有し、
前記２つの支持部材の前記締結部は、前記伝達部材に共締めされる
ことを特徴とする請求項１から３のいずれか１項に記載の遊技機。
【請求項５】
前記図柄貼付部は、回転軸方向の少なくとも一方の端部に端面から凹んだ切り欠きを有し、当該切り欠きが前記２つの支持部材の少なくともいずれかの前記羽根部に嵌ることにより当該図柄貼付部が当該２つの支持部材に支持される
ことを特徴とする請求項１から４のいずれか１項に記載の遊技機。
【請求項６】
図柄が付されるとともに当該図柄の回転直径よりも回転軸方向の幅の方が大きい回転体と、当該回転体に回転駆動力を与えるモータと、当該モータの当該回転駆動力を当該回転体に伝達する伝達部材とを備え、当該回転体を回転させて当該図柄を変動表示させる遊技機であって、
前記回転体は、
外周面に前記図柄が付される円筒状の図柄貼付部と、
前記伝達部材に締結される締結部と、前記図柄貼付部の内周面の半径よりも小さい半径で回転する回転軸方向に延びる軸方向部と、半径方向に延びる半径方向部とを有する２つの支持部材と
を備え、前記図柄貼付部は、前記２つの支持部材の前記半径方向部で支持される
ことを特徴とする遊技機。
【発明の詳細な説明】
【技術分野】
【０００１】
本発明は、図柄を変動表示させる遊技機に関する。
【背景技術】
【０００２】
従来より、パチンコ遊技機やスロットマシンなどの遊技機として、図柄が付された複数個の回転体を回転させる遊技機が知られている。
例えば、特許文献１では、次のような技術が記載されている。すなわち、リングとブリッジを有するハブ側パーツとリングとブリッジを有するフリー側パーツとの２パーツ構成にし、ハブ側パーツのブリッジに形成された係合凹部とフリー側パーツのブリッジに形成された係合突起との係合にて両パーツを連結することにより支持体を構成する。そして、この支持体に、図柄帯を例えば両面テープや接着剤などで貼着し、その後ハブ側パーツをモータに連結する。
【０００３】
【特許文献１】特開２００３−１９９９０６号公報
【発明の開示】
【発明が解決しようとする課題】
【０００４】
図柄が付された回転体を、２つのパーツの回転軸方向に延びるブリッジに形成された凹部と突起との係合にて構成し、一方のパーツをモータに連結するのでは、回転時などに凹部と突起との係合が外れるなど損傷するおそれがある。特に、回転体として、図柄の回転直径よりも回転軸方向の幅の方が大きい回転体を使用する場合においては、回転軸方向の強度あるいは剛性が必要以上に不足するおそれがある。
【０００５】
このように図柄を回転させる部材を数種の部品から構成する場合においては、数種の部品の組み付けを容易にすることが重要であるとともに回転体の損傷を抑制することが重要となる。また、回転する部材の慣性質量を小さくし、モータの負荷を小さくすることも重要である。
【課題を解決するための手段】
【０００６】
本発明は、図柄が付された回転体と、当該回転体に回転駆動力を与えるモータと、当該モータの回転駆動力を当該回転体に伝達する伝達部材とを備え、当該回転体を回転させて当該図柄を変動表示させる遊技機であって、前記回転体は、前記図柄が付される円筒状の図柄貼付部と、回転半径方向に放射状に延びる複数の羽根部を有し、当該複数の羽根部にて前記図柄貼付部を支持する２つの支持部材とを備えることを特徴とする遊技機である。
【０００７】
ここで、前記モータの回転駆動力が前記伝達部材を介して前記２つの支持部材の少なくともいずれかに伝達し、当該回転駆動力が伝達された支持部材が当該回転駆動力を前記図柄貼付部に伝達することにより当該図柄貼付部が回転することが好適である。
また、前記２つの支持部材は、前記図柄貼付部の回転軸方向の両側の端部を前記複数の羽根部で挟み込むことにより、当該図柄貼付部を支持することが好適である。
また、前記２つの支持部材は、それぞれ、前記伝達部材に締結される締結部と、前記締結部の回転半径方向端部から回転軸方向に延び、前記締結部と前記複数の羽根部とを連結する連結部と、を有し、前記２つの支持部材の前記締結部は、前記伝達部材に共締めされることが好適である。
また、前記図柄貼付部は、回転軸方向の少なくとも一方の端部に端面から凹んだ切り欠きを有し、当該切り欠きが前記２つの支持部材の少なくともいずれかの前記羽根部に嵌ることにより当該図柄貼付部が当該２つの支持部材に支持されることが好適である。
【０００８】
また、本発明は、図柄が付されるとともに当該図柄の回転直径よりも回転軸方向の幅の方が大きい回転体と、当該回転体に回転駆動力を与えるモータと、当該モータの当該回転駆動力を当該回転体に伝達する伝達部材とを備え、当該回転体を回転させて当該図柄を変動表示させる遊技機であって、前記回転体は、外周面に前記図柄が付される円筒状の図柄貼付部と、前記伝達部材に締結される締結部と、前記図柄貼付部の内周面の半径よりも小さい半径で回転する回転軸方向に延びる軸方向部と、半径方向に延びる半径方向部とを有する２つの支持部材とを備え、前記図柄貼付部は、前記２つの支持部材の前記半径方向部で支持されることを特徴とする遊技機である。
【発明の効果】
【０００９】
本発明によれば、回転体の組み付けを容易にすることができるとともに回転体の損傷を抑制することができる。また、回転体の慣性質量を小さくすることができる。
【発明を実施するための最良の形態】
【００１０】
以下、添付図面を参照して、本発明の実施の形態について詳細に説明する。
図１は、本実施の形態に係るパチンコ遊技機１００の概略正面図である。
同図に示す遊技機の一例としてのパチンコ遊技機１００は、遊技者の指示操作により打ち出された遊技球が入賞すると賞球を払い出すように構成されたものである。このパチンコ遊技機１００は、遊技球が打ち出される遊技盤１１０と、遊技盤１１０を囲む枠部材１５０と、を備えている。遊技盤１１０は、枠部材１５０に着脱自在に取り付けられている。
【００１１】
遊技盤１１０は、前面に、遊技球により遊技を行うための遊技領域１１１と、下方から発射された遊技球が上昇して遊技領域１１１の上部位置へ向かう通路を形成するレール部材１１２と、遊技領域１１１の右側に遊技球を案内する案内部材１１３と、を備えている。
本実施の形態では、遊技者により視認され易い遊技領域１１１の位置に、演出のための各種の画像を表示する画像表示部１１４が配設されている。この画像表示部１１４は、遊技者によるゲームの進行に伴い、例えば、図柄抽選結果（図柄変動結果）を遊技者に図柄により報知したり、キャラクタの登場やアイテムの出現による予告演出を表示したりする。なお、画像表示部１１４については、後で詳述する。
また、遊技盤１１０の前面に、各種の演出に用いられる可動役物１１５および盤ランプ１１６を備えている。
【００１２】
遊技領域１１１には、遊技球が落下する方向に変化を与えるための図示しない遊技くぎおよび風車等が配設されている。また、遊技領域１１１には、入賞や抽選に関する種々の役物が所定の位置に配設されている。また、遊技領域１１１には、遊技領域１１１に打ち出された遊技球のうち入賞口に入賞しなかったものを遊技領域１１１の外に排出する排出口１１７が配設されている。
【００１３】
本実施の形態では、入賞や抽選に関する種々の役物として、遊技球が入ると入賞して特別図柄抽選（大当たり抽選）が始動する第１始動口１２１と、第１始動口１２１の下方に位置し、遊技球が入ると入賞して特別図柄抽選が始動する第２始動口１２２と、遊技球が通過すると普通図柄抽選（開閉抽選）が始動するゲート１２４と、が遊技盤１１０に配設されている。第２始動口１２２は、チューリップの花の形をした一対の回動部材が電動ソレノイドにより開閉すると共に点灯する電動チューリップ１２３を備えている。
【００１４】
また、本実施の形態では、入賞や抽選に関する種々の役物として、第２始動口１２２の下方に位置し、特別図柄抽選の結果に応じて開放する大入賞口１２５と、遊技球が入賞しても抽選が始動しない普通入賞口１２６と、が遊技盤１１０に配設されている。
なお、本実施の形態では、遊技領域１１１に第１始動口１２１および第２始動口１２２が配設されているが、いずれか一方のみを配設する構成例や他の始動口を配設する構成例も考えられる。また、本実施の形態では、遊技領域１１１に大入賞口１２５が１つ配設されているが、大入賞口１２５を複数配設する構成例も考えられる。
本実施の形態では、遊技盤１１０の右下の位置に、抽選結果や保留数に関する表示を行う表示器１３０が配設されている。
【００１５】
また、遊技盤１１０の裏面には、内部抽選および当選の判定等を行う遊技制御基板、演出を統括的に制御する演出制御基板、画像および音による演出を制御する画像制御基板、各種のランプおよび可動役物１１５による演出を制御するランプ制御基板などの図示しない各種の基板等が取り付けられる。また、遊技盤１１０の裏面には、供給された２４ＶのＡＣ電源をＤＣ電源に変換して各種の基板等に出力するスイッチング電源（不図示）が配設されている。
【００１６】
枠部材１５０は、遊技者がハンドル１５１に触れてレバー１５２を時計方向に回転させる操作を行うとその操作角度に応じた打球力にて遊技球を所定の時間間隔（例えば１分間に１００個）で電動発射する発射装置（不図示）を備えている。また、枠部材１５０は、遊技者のレバー１５２による操作と連動したタイミングで発射装置に遊技球を１つずつ順に供給する供給装置（不図示）と、供給装置が発射装置に供給する遊技球を一時的に溜めておく皿１５３と、を備えている。この皿１５３には、例えば払い出しユニットによる払出球が払い出される。
【００１７】
また、枠部材１５０は、発射装置のハンドル１５１に遊技者が触れている状態であっても遊技球の発射を一時的に停止させるための停止ボタン１５４と、皿１５３に溜まっている遊技球を箱（不図示）に落下させて取り出すための取り出しボタン１５５と、を備えている。
また、枠部材１５０は、パチンコ遊技機１００の遊技状態や状況を告知したり各種の演出を行ったりするスピーカ１５６および枠ランプ１５７を備えている。スピーカ１５６は、楽曲や音声、効果音による各種の演出を行い、また、枠ランプ１５７は、点灯点滅によるパターンや発光色の違い等で光による各種の演出を行う。なお、枠ランプ１５７については、光の照射方向を変更する演出を行うことを可能にする構成例が考えられる。
また、枠部材１５０は、遊技盤１１０を遊技者と隔てるための透明板（不図示）を備えている。
【００１８】
次に、画像表示部１１４の構成について説明する。
図２は、画像表示部１１４の正面図であり、図１における画像表示部１１４を拡大した図である。
画像表示部１１４は、図柄が付された回転体２２０を複数（本実施の形態では９つ）備えており、各回転体２２０は、収納ケース２５０（図３参照）内に収納される。
【００１９】
図３は、画像表示部１１４の構成を詳細に示す図である。
画像表示部１１４は、図３に示すように、上述した回転体２２０と回転体２２０が収納された収納ケース２５０とを有する図柄表示ユニット２００を備えている。また、画像表示部１１４は、収納ケース２５０の回転体２２０側の開口部２５０ａを覆うとともに回転体２２０に付された図柄を露出させるための窓３００ａが回転体２２０と同数形成されたケースカバー３００を有する。また、画像表示部１１４は、ケースカバー３００よりもパチンコ遊技機１００の前面側に配置された液晶表示部４００と、液晶表示部４００よりもパチンコ遊技機１００の前面側に配置され液晶表示部４００の四隅と側面をカバーする外枠５００とを有する。
【００２０】
図柄表示ユニット２００は、図３に示すように、複数（本実施の形態では３つ）の回転体ユニット２１０を収納ケース２５０内に所定間隔を置いて互いに隣接させて収納する。
図４は、回転体ユニット２１０の構成を詳細に示す図である。
回転体ユニット２１０は、複数（本実施の形態では３つ）の回転体２２０が、回転体保持部材２３０に連結されて構成される。
【００２１】
回転体保持部材２３０は、回転体２２０を回転及び停止させるステッピングモータ（以下単に「モータ」という。）２３１を、回転体２２０と同数（本実施の形態では３つ）有している。つまり、複数（本実施の形態では３つ）のモータ２３１が、１つのモータ保持部材２３２に取り付けられている。各モータ２３１は、モータ保持部材２３２に設けられているモータ台座２３２ａに、モータの出力軸２３１ａ側からねじ２３１ｂにて締結されることにより、モータ保持部材２３２に固定される。モータ保持部材２３２は、モータ２３１に対して制御信号などを供給する基板（不図示）を有しており、この基板から複数（本実施の形態では３つ）のモータ２３１に対して制御信号が送られる。
【００２２】
モータ２３１の出力軸２３１ａには、この出力軸２３１ａと回転体２２０とを同期して回転させるためのモータフランジ２３３がねじ２３４によって固定されている。モータフランジ２３３によって、モータ２３１の回転駆動力が回転体２２０に伝達されるため、モータフランジ２３３は、伝達部材として機能する。回転体２２０は、複数（本実施の形態では２つ）のねじ２３５を、後述する第１の支持部材２７０（図６参照）の孔２７２ａ（図６参照）および第２の支持部材２８０（図６参照）の孔２８２ａ（図６参照）に通し、モータフランジ２３３に形成されたねじ孔２３３ａにねじ込むことによりモータフランジ２３３に固定される。
【００２３】
なお、モータフランジ２３３は、モータ２３１の回転軸に対して垂直な締結面を有しており、回転体２２０の締結部２７２，２８２（図６参照）は、モータ２３１の回転軸に対して垂直な締結面を有している。それゆえ、回転体２２０は、モータ２３１の回転とともにモータ２３１の回転軸心を回転中心として回転する。なお、モータ２３１は、両方向（図４における時計回転方向および反時計回転方向）に回転可能であるため、回転体２２０も両方向に回転する。
【００２４】
そして、複数（本実施の形態では３つ）の回転体２２０が回転体保持部材２３０に連結されて回転体ユニット２１０が構成された後に、回転体ユニット２１０が収納ケース２５０内に収納される。
そして、複数（本実施の形態では３つ）の回転体ユニット２１０が、収納ケース２５０内に所定間隔を置いて互いに隣接して収納される。収納ケース２５０の前面には開口部２５０ａが形成されており、この開口部２５０ａから各回転体ユニット２１０の回転体２２０に付されている図柄が露出する。また、収納ケース２５０の側面および裏面には、スリット２５０ｂ（図３参照）が複数形成されている。
【００２５】
そして、収納ケース２５０内に、複数（本実施の形態では３つ）の回転体ユニット２１０が収納された後に、収納ケース２５０の開口部２５０ａがケースカバー３００にて覆われる。ケースカバー３００には、回転体２２０と同数（本実施の形態では９つ）の窓３００ａが形成されており、この窓３００ａを介して回転体２２０に付された図柄が露出し、遊技者に見えるようになっている。
【００２６】
液晶表示部４００は、保護ガラス４０２と表示板４０３とからなる正面パネル４０１と、透明液晶パネル４０４と、導光板４０５と、反射フィルム４０６と、所謂白色光源である蛍光ランプ（不図示）と、ランプホルダ（不図示）とを有する。また、液晶表示部４００は、透明液晶パネル４０４を駆動するためのＩＣを搭載したテーブルキャリアパッケージ（ＴＣＰ）（不図示）を備えており、ＴＣＰは、透明液晶パネル４０４の端子部に接続したフレキシブル基板（不図示）等により構成される。
この液晶表示部４００は、上述したように、ケースカバー３００よりもパチンコ遊技機１００の前面側に、ケースカバー３００と予め定められた間隔をあけて配置されている。
【００２７】
保護ガラス４０２及び表示板４０３は、透明な部材で構成されている。表示板４０３は、絵柄等を記すために設けられているが、絵柄等を記さない仕様の遊技機においては省いてもよい。
透明液晶パネル４０４は、薄膜トランジスタ層が形成されたガラス板等の透明な基板と、これに対向する透明な基板との間隙部に液晶が封入されて形成されている。この透明液晶パネル４０４の表示モードは、ノーマリーホワイトに設定することが好適である。ノーマリーホワイトとは、液晶を駆動していない状態で白表示（表示面側に透過した光が外部より視認可能である）となる構成である。ノーマリーホワイトに構成された透明液晶パネル４０４を採用することにより、液晶を駆動することができない事態が生じた場合であっても、回転体２２０により表示された図柄を視認することができ、遊技を継続することができる。
【００２８】
導光板４０５は、蛍光ランプ（不図示）からの光を透明液晶パネル４０４へ導き出す（透明液晶パネル４０４を照明する）ためのものであり、透明液晶パネル４０４の裏側に設けられ、例えば、２ｃｍ程度の厚さを有するアクリル系樹脂等の透明部材（導光機能を有する）で構成されている。
反射フィルム４０６は、例えば、白色のポリエステルフィルムやアルミ薄膜に銀蒸着膜を形成したものが用いられ、導光板４０５に導入された光を導光板４０５の正面側へ向けて反射させる。
【００２９】
不図示の蛍光ランプの一部は、導光板４０５の上端部及び下端部に沿って配置されており、これらの蛍光ランプから照射される光は、反射フィルム４０６で反射して透明液晶パネル４０４を照明する。また、他の蛍光ランプは、反射フィルム４０６の裏側の上方位置及び下方位置に図柄表示ユニット２００に向かって配置されている。これらの蛍光ランプから出て回転体２２０の表面で反射した光は、透明液晶パネル４０４を照明する。
【００３０】
次に、回転体２２０について説明する。
図５は、回転体２２０の斜視図である。また、図６は、回転体２２０の構成を詳細に示す図である。また、図７は、回転体２２０の図５に示すＸ方向の断面を示す図である。図８は、回転体２２０の外観図であり、（ａ）は左側面図、（ｂ）は正面図、（ｃ）は右側面図である。
回転体２２０は、外周面に図柄が付される円筒状の図柄貼付部２６０と、図柄貼付部２６０を回転体２２０の回転軸方向の両側から支持する２つの支持部材である第１の支持部材２７０と、第２の支持部材２８０とを有する。
【００３１】
図柄貼付部２６０は、薄肉円筒状の部材であり、その外周面２６１には、図柄が記載されたフィルムが接着等により貼付されるなどして図柄が付されている（図３〜図８においては図柄は省略している）。また、図柄貼付部２６０の回転軸方向の両端部には、端面２６２から凹んだ切り欠き２６３が形成されている。切り欠き２６３は、回転体２２０回転方向に等間隔に複数（本実施の形態では８つ）設けられている。
【００３２】
第１の支持部材２７０は、回転体２２０の回転半径方向に放射状に延びる複数の羽根部２７１と、モータフランジ２３３に締結される締結部２７２と、締結部２７２の回転半径方向端部から回転軸方向に延び、締結部２７２と複数の羽根部２７１とを連結する連結部２７３とを有する。
【００３３】
羽根部２７１は、回転体２２０の回転方向には、等間隔に複数（本実施の形態では８つ）設けられている。そして、複数の羽根部２７１が、回転半径方向に、連結部２７３から放射状に延びている。また、羽根部２７１は、図８に示すように、回転半径方向の外側から見た場合に、回転軸方向に延びる軸方向部２７１ａと、回転軸心に対して角度を有する有角部２７１ｂとを有する。なお、軸方向部２７１ａと有角部２７１ｂとは同じ肉厚で連続していることから軸方向部２７１ａと有角部２７１ｂとの境界はなく、図示もしていない。
【００３４】
締結部２７２は、モータ２３１の回転軸に対して略垂直な両面を有する板状の部材である。そして、締結部２７２には、ねじ２３５を通すための複数（本実施の形態では２つ）の孔２７２ａと、モータフランジ２３３の先端部２３３ｂ（図４参照）に嵌め合わされる孔２７２ｂと、ピン２９０に嵌め合わされる複数（本実施の形態では２つ）の孔２７２ｃが形成されている。締結部２７２は、回転軸方向から見ると略十字状であり、その中央部に孔２７２ｂが形成され、略十字状の一片に２つの孔２７２ａが形成され、他の一片に２つの孔２７２ｃが形成されている。なお、ピン２９０に嵌め合わされる孔２７２ｃが形成されている部位には、ピン２９０を覆うようにボス２７２ｄが形成されている。
【００３５】
連結部２７３は、締結部２７２の回転半径方向端部から回転軸方向に延びている。上述したように、締結部２７２は略十字状であるから回転半径方向には４つの端部が存在する。そして、連結部２７３は、締結部２７２の４つの端部から回転軸方向に延びている、言い換えれば回転方向に９０度間隔で間欠的に回転軸方向に延びている部位である間欠部２７３ａと、羽根部２７１の始点となる円筒状の部位である円筒状部２７３ｂとを有する。なお、間欠部２７３ａと円筒状部２７３ｂとは同じ肉厚で連続していることから間欠部２７３ａと円筒状部２７３ｂとの境界はなく、図示もしていない。
【００３６】
また、第１の支持部材２７０には、締結部２７２の連結部２７３が設けられている側とは反対側の面２７２ｐから回転軸方向に突出するように、２つの凸部２７５が、孔２７２ｃの回転半径方向の外側にそれぞれ形成されている（図６，７参照）。
【００３７】
第２の支持部材２８０は、上述した第１の支持部材２７０と同様に、回転体２２０の回転半径方向に放射状に延びる複数の羽根部２８１と、モータフランジ２３３に締結される締結部２８２と、締結部２８２の回転半径方向端部から回転軸方向に延び、締結部２８２と複数の羽根部２８１とを連結する連結部２８３とを有する。
【００３８】
羽根部２８１は、上述した第１の支持部材２７０と同様に、回転方向には、等間隔に複数（本実施の形態では８つ）設けられており、複数の羽根部２８１が、回転半径方向に、連結部２８３からに放射状に延びている。また、羽根部２８１は、図８に示すように、回転半径方向の外側から見た場合に、回転軸方向に延びる軸方向部２８１ａと、回転軸心に対して角度を有する有角部２８１ｂとを有する。有角部２８１ｂは、図８に示す状態では、回転軸心に対して、第１の支持部材２７０の有角部２７１ｂが向いている側とは反対側に傾いている。
【００３９】
締結部２８２は、モータ２３１の回転軸に対して垂直な両面を有する板状の部材である。そして、締結部２８２には、ねじ２３５を通すための複数（本実施の形態では２つ）の孔２８２ａと、モータフランジ２３３の先端部２３３ｂ（図４参照）に嵌め合わされる孔２８２ｂと、ピン２９０に嵌め合わされる複数（本実施の形態では２つ）の孔２８２ｃが形成されている。締結部２８２は、第１の支持部材２７０の締結部２７２と同様に、回転軸方向から見ると略十字状であり、その中央部に孔２８２ｂが形成され、略十字状の一片に２つの孔２８２ａが形成され、他の一片に２つの孔２８２ｃが形成されている。
【００４０】
連結部２８３は、締結部２８２の４つの回転半径方向端部から回転軸方向に延びている、言い換えれば回転方向に９０度間隔で間欠的に回転軸方向に延びている部位である間欠部２８３ａと、羽根部２８１の始点となる円筒状の部位である円筒状部２８３ｂとを有する。なお、間欠部２８３ａと円筒状部２８３ｂとは同じ肉厚で連続していることから間欠部２８３ａと円筒状部２８３ｂとの境界はなく、図示もしていない。
【００４１】
また、第２の支持部材２８０には、締結部２８２および連結部２８３に、上述した第１の支持部材２７０の凸部２７５が嵌め合わされる２つの凹部２８５が、孔２８２ｃの回転半径方向の外側にそれぞれ形成されている（図６，７参照）。
【００４２】
上述のような形状を有する、図柄貼付部２６０と、第１の支持部材２７０と、第２の支持部材２８０とが組み付けられて回転体２２０を形成する。
組み立てる際には、先ず、円柱状の２つのピン２９０を第２の支持部材２８０の孔２８２ｃにそれぞれ圧入する。その後、図柄貼付部２６０の両側から、第１の支持部材２７０と第２の支持部材２８０とで挟み込む。その際、第１の支持部材２７０の羽根部２７１の軸方向部２７１ａおよび第２の支持部材２８０の羽根部２８１の軸方向部２８１ａを、図柄貼付部２６０の回転軸方向の両端部に形成された切り欠き２６３に嵌め込む。また、２つのピン２９０を、第１の支持部材２７０の孔２７２ｃにそれぞれ挿入するとともに、第１の支持部材２７０の凸部２７５を第２の支持部材２８０の凹部２８５に嵌め込むことにより、第１の支持部材２７０と第２の支持部材２８０との回転方向の相対的な位置決めを行う。
【００４３】
そして、回転体２２０を構成した状態で、すなわち、図柄貼付部２６０と、第１の支持部材２７０と、第２の支持部材２８０とを組み付けた状態で、モータフランジ２３３に装着する。その際、ねじ２３５を、第１の支持部材２７０の締結部２７２の孔２７２ａと第２の支持部材２８０の締結部２８２の孔２８２ａとに通し、モータフランジ２３３に形成されたねじ穴に締め込む。つまり、第１の支持部材２７０の締結部２７２と第２の支持部材２８０の締結部２８２とを、モータフランジ２３３に共締めする。これにより、第１の支持部材２７０と、第２の支持部材２８０とがモータフランジ２３３に固定されるとともに、図柄貼付部２６０が第１の支持部材２７０と第２の支持部材２８０とに支持される。
【００４４】
回転体２２０が回転体保持部材２３０に装着された場合、モータ２３１が回転すると、その回転駆動力がモータフランジ２３３を介して回転体２２０の第１の支持部材２７０および第２の支持部材２８０に伝達し、これらの支持部材２７０，２８０が回転する。そして、第１の支持部材２７０および第２の支持部材２８０の回転力が、支持部材２７０，２８０の羽根部２７１，２８１の軸方向部２７１ａ，２８１ａを介して図柄貼付部２６０の切り欠き２６３に伝達し、図柄貼付部２６０が回転する。このように、回転体２２０をモータ２３１の回転駆動力を利用して回転させることにより図柄貼付部２６０に付された図柄が変動する。
【００４５】
以上説明したように、本実施の形態に係る回転体ユニット２１０においては、図柄貼付部２６０と、第１の支持部材２７０と、第２の支持部材２８０とで回転体２２０を形成し、この回転体２２０をモータフランジ２３３に装着すればよい。また、回転体２２０を形成する際には、図柄貼付部２６０を、回転軸方向の両側から、第１の支持部材２７０と第２の支持部材２８０とで挟み込むだけである。それゆえ、回転体２２０を容易に組み付けることができる。
【００４６】
また、図柄貼付部２６０は、回転軸方向に延びる連結部２７３を有する第１の支持部材２７０と、回転軸方向に延びる連結部２８３を有する第２の支持部材２８０とで挟み込まれている。それゆえ、図柄貼付部２６０の肉厚を薄くしたとしても、回転体２２０の回転軸方向の強度あるいは剛性は充分に確保されている。したがって、回転体２２０が図柄の回転直径よりも回転軸方向の幅の方が大きい回転体であったとしても、損傷することなく回転・停止を行うことができる。
【００４７】
また、図柄貼付部２６０を、回転方向に間欠的に形成され回転半径方向に放射状に延びる羽根部２７１，２８１で支持しており、回転軸方向に主に延びているのは、図柄貼付部２６０よりも回転半径が小さい連結部２７３，２８３の間欠部２７３ａ，２８３ａである。それゆえ、回転体２２０の回転時における慣性質量を、図柄貼付部２６０をその内周面で支持する場合よりも小さくすることができる。これにより、回転体２２０の回転における加速時や停止時のモータ２３１の負荷を小さくすることができ、モータ２３１の小型化を図ることができるとともに、駆動時の発熱量を抑制することができる。
【００４８】
本実施の形態における図柄表示ユニット２００においては、基板を有する１つのモータ保持部材２３２に３つのモータ２３１が取り付けられて回転体保持部材２３０が構成されている。そして、この回転体保持部材２３０に３つの回転体２２０が装着されて１つの回転体ユニット２１０を構成した上で、３つの回転体ユニット２１０が収納ケース２５０内に所定間隔を置いて互いに隣接して収納される。すなわち、互いに隣接する回転体ユニット２１０のモータ２３１が存在する領域は、モータ保持部材２３２で仕切られている。それゆえ、モータ２３１の駆動に起因して発生したモータ２３１の熱を、回転体２２０の内部から外部へモータ２３１の回転軸方向に排出することは困難となるおそれがある。
また、本実施の形態に係る画像表示部１１４においては、図柄表示ユニット２００の前面側には液晶表示部４００を配置しているので、図柄表示ユニット２００と液晶表示部４００との間の隙間が小さくなる場合がある。
【００４９】
これに対して、羽根部２７１，２８１は、モータ２３１の回転とともに回転し、回転体２２０の周辺の空気を攪拌するという機能も合わせ持っている。
また、羽根部２７１，２８１は回転軸心に対して傾いている有角部２７１ｂ，２８１ｂを有し、羽根部２７１の有角部２７１ｂと、羽根部２８１の有角部２８１ｂとは、回転軸心に対して反対の方向に傾いている。それゆえ、回転軸方向の一方向への空気の流れを形成する。
また、有角部２７１ｂ，２８１ｂは、回転半径方向には、図柄貼付部２６０の内側にも設けられている。つまり、有角部２７１ｂ，２８１ｂは、図柄貼付部２６０の内周面よりも内側の位置から図柄貼付部２６０の外周面よりも外側の位置へ回転半径方向に延びている。それゆえ、有角部２７１ｂ，２８１ｂが回転軸方向への空気の流れを形成することで、回転体２２０内部の空気を回転体２２０外部へと積極的に排出することができる。
【００５０】
これにより、モータ２３１の駆動に起因して発生した熱を伴った空気が、回転体２２０とモータ保持部材２３２との隙間から回転体２２０の外部へ送られ、例えば、収納ケース２５０の側面および裏面に形成されたスリット２５０ｂから画像表示部１１４の外部へ排出される。それゆえ、回転体２２０を含めた図柄表示ユニット２００が高温になることを抑制することができる。
【００５１】
また、羽根部２７１の有角部２７１ｂと、羽根部２８１の有角部２８１ｂとは、回転に伴って回転軸方向の一方の方向に向かう空気流を形成するが、回転体２２０の回転方向、つまり、時計回転方向か反時計回転方向かに応じて空気流の向きが変わる。それゆえ、羽根部２７１，２８１の軸方向部２７１ａ，２８１ａによる攪拌機能と相まって、より効果的に画像表示部１１４内の空気を攪拌することができ、図柄表示ユニット２００などが高温になることを抑制することができる。
また、羽根部２７１および２８１は、ケースカバー３００に形成された窓３００ａから露出する。それゆえ、遊技者には、図柄の回転とともに、羽根部２７１および２８１の回転が見える。そして、この羽根部２７１および２８１の回転が、遊技者を楽しませるので、興趣を高めることとなる。
【００５２】
なお、第１の支持部材２７０および第２の支持部材２８０は、上述した形状であるので、主に回転軸方向に相対的にスライドする２つの成形型（２分割構造の成形型）を用い、材質を例えば樹脂とする射出成形により容易に成形することができる。したがって、第１の支持部材２７０および第２の支持部材２８０の製造コストを低くすることができる。
【００５３】
また、図柄貼付部２６０を、締結部２７２あるいは２８２を有する第１の支持部材２７０および第２の支持部材２８０で支持しているので、図柄貼付部２６０自体にモータフランジ２３３に締結される部位を設ける必要はない。したがって、図柄貼付部２６０の形状をシンプルにすることができ、その製造コストを低くすることができる。また、図柄貼付部２６０の図柄を貼り付ける部位は円筒状であるので、図柄を貼り付ける面に段差が生じ難い。それゆえ、図柄を容易に貼り付けることができるので、製造コストを低くすることができるとともに、図柄に皺や曲がりが生じることを抑制することができるので、遊技者に対する美観が損なわれることを抑制できる。
【００５４】
また、上述した実施の形態においては、図柄貼付部２６０の回転軸方向の両端部の切り欠き２６３が、羽根部２７１，２８１の軸方向部２７１ａ，２８１ａに嵌る態様であるが、図柄貼付部２６０の切り欠き２６３は、図柄貼付部２６０の両端部になくてもよい。例えば、図柄貼付部２６０の回転軸方向の一方の端部には切り欠き２６３を形成して羽根部２７１あるいは２８１の軸方向部２７１ａあるいは２８１ａに嵌め込む。そして、他方の端部では、図柄貼付部２６０には切り欠き２６３を形成せずに、羽根部２７１あるいは２８１の軸方向部２７１ａあるいは２８１ａに切り欠き（不図示）を形成し、この切り欠きに薄肉円筒状の図柄貼付部２６０の端部を挿入してもよい。かかる態様においても、モータ２３１の回転駆動力が、図柄貼付部２６０の一方の端部に形成された切り欠き２６３を介して、支持部材２７０あるいは２８０から図柄貼付部２６０へ伝達され、図柄貼付部２６０が回転する。また、切り欠き２６３が形成されていない図柄貼付部２６０の他方の端部は、支持部材２７０あるいは２８０に形成された切り欠きにより回転半径方向に支持される。
【図面の簡単な説明】
【００５５】
【図１】本実施の形態に係るパチンコ遊技機の概略正面図である。
【図２】画像表示部の正面図である。
【図３】画像表示部の構成を示す図である。
【図４】回転体ユニットの構成を示す図である。
【図５】回転体の斜視図である。
【図６】回転体の構成を詳細に示す図である。
【図７】回転体の、図５に示すＸ方向の断面を示す図である。
【図８】回転体の外観図であり、（ａ）は左側面図、（ｂ）は正面図、（ｃ）は右側面図である。
【符号の説明】
【００５６】
１００…パチンコ遊技機、１１４…画像表示部、２００…図柄表示ユニット、２１０…回転体ユニット、２２０…回転体、２３０…回転体保持部材、２３１…ステッピングモータ、２３２…モータ保持部材、２３３…モータフランジ、２３４，２３５…ねじ、２５０…収納ケース、２６０…図柄貼付部、２７０…第１の支持部材、２７１…羽根部、２７２…締結部、２７３…連結部、２８０…第２の支持部材、２８１…羽根部、２８２…締結部、２８３…連結部、２９０…ピン、３００…ケースカバー、４００…液晶表示部、５００…外枠
【図１】
2010115426.tif 000003
【図２】
2010115426.tif 000004
【図３】
2010115426.tif 000005
【図４】
2010115426.tif 000006
【図５】
2010115426.tif 000007
【図６】
2010115426.tif 000008
【図７】
2010115426.tif 000009
【図８】
2010115426.tif 000010